(57)【要約】      （修正有）【課題】使用後の洗浄が不要となり、衛生的であると共に、従前のウェットティッシュと同一構成物であるため、誰もが容易に使用することができるキッチン用ウェットティッシュを提供する。【解決手段】上部取出口１３を備え、上下に２分割し、開閉自在とした収納容器１５内に、洗浄剤を浸透させた矩形小片型の紙シートを、上下または左右方向に折り畳んだ状態で積層して、収納させたこと特徴とする、または矩形小片型の紙シート先端部を収納容器の上部取出口１３から上方に突出させ、取り出しを容易としたことを特徴とする。【選択図】図１
0003185234.tif 000002
【実用新案登録請求の範囲】
【請求項１】
上部取出口を備え、上下に２分割し、開閉自在とした収納容器内に、洗浄剤を浸透させた矩形小片型の紙シートを、上下または左右に折り畳んだ状態で積層して収納させたこと特徴とするキッチン用ウェットティッシュ。
【請求項２】
矩形小片型の紙シート先端部を収納容器の上部取出口から上方に突出させ、取り出しを容易としたことを特徴とする請求項１記載のキッチン用ウェットティッシュ。
【考案の詳細な説明】
【技術分野】
【０００１】
この考案は、キッチン用ウェットティッシュに関する。
【背景技術】
【０００２】
従来、キッチンにて食器を洗浄する際、直方体、円盤、各種キャラクター型のスポンジタワシに洗剤を浸透させ、そのまま食器に付着した油脂、残飯等を拭き取り、水、ぬるま湯、お湯により、洗剤から発生した泡と共に、洗い流し、洗浄していた。
【０００３】
また、ウェットティッシュとしては、殺菌、除菌剤を浸透させた矩形状の紙シートを積層収納されたものが知られている（特許文献１参照）。
【先行技術文献】
【特許文献】
【０００４】
【特許文献１】特開２００５−８８９７０号公報
【考案の概要】
【考案が解決しようとする課題】
【０００５】
しかしながら、スポンジタワシを使用する際、洗浄作業終了後、スポンジタワシに付着している油脂、残飯、泡を洗い流す必要があり、その作業が非常に煩雑となるばかりか、洗い流し作業が不十分であると非衛生となる要因となっていた。
【０００６】
また、ウェットティッシュを使用する際、殺菌、除菌剤を浸透させただけであるため、食器の油脂汚れを確実に落とすことができないことが問題であった。
【課題を解決するための手段】
【０００７】
この考案は、このような問題を解決するためになされたものであり、その目的とするところは、使用後の洗浄が不要、衛生的、であり、誰もが容易に使用することができることにある。
【考案の効果】
【０００８】
この考案は、紙シートは１回分ずつ使用し、廃棄するため、使用後の洗浄が不要となり、衛生的であると共に、従前のウェットティッシュと同一構成物であるため、誰もが容易に使用することができる利点がある。
【図面の簡単な説明】
【０００９】
【図１】本考案の一実施例を示す図であり、（イ）は正面図、（ロ）は背面図である。
【図２】同、（イ）は上側斜視図、（ロ）下側斜視図である。
【図３】同、紙シートの成形工程を示す図であり、（イ）は第１工程を示す平面図、（ロ）は第２工程を示す平面図、（ハ）は第３工程を示す斜視図である。
【図４】本考案の別の例を示す分解斜視図である。
【図５】さらに別の例を示す分解斜視図である。
【図６】さらに別の例を示す斜視図である。
【図７】取出口カバーを示す図であり、（イ）は半円型、（ロ）は逆山型のものを示す正面図である。
【考案を実施するための形態】
【００１０】
本考案は、衛生的、であり、誰もが容易に使用することができる目的を、上部に取出口を備えた収納容器内に、洗浄剤を浸透させた矩形小片型の紙シートを、縦または横方向に折り畳んだ状態で積層して収納させること、により実現させた。
【実施例１】
【００１１】
この考案の一実施形態を、図１−３に示す。
【００１２】
本例を、図１−３を参照して説明する。
【００１３】
本考案に係るキッチン用ウェットティッシュ１は、上部取出口１３を備えた収納容器１５内に、洗浄剤を浸透させた矩形小片型の紙シート１７を、横方向に折り畳んだ状態で積層して収納させたものである。
【００１４】
本例において、収納容器１５は上下に２分割し、開閉自在の構造とし、動物キャラクター形状としてある。
【００１５】
また、紙シート１７の成形工程を図３に基づいて説明する。
【００１６】
まず、横約５０ｃｍ、縦約２１ｃｍの繊維素材を多く含んだ原紙１７ａを用意し、洗浄剤を浸透させた後、１点鎖線で示す切り取り線１７ｂａに切断し、原紙１７ａを三等分する。
【００１７】
本例において、洗浄剤は市販のキッチン用洗浄剤である。
【００１８】
次いで、点線で示す折り畳み線１７ｃに沿って山折り、谷折りと順次繰り返して折り畳んだ状態とする。
【００１９】
この矩形小片型の紙シート１７先端部を収納容器１５の上部取出口１３から上方に突出させ、取り出しを容易とする。
【００２０】
本考案に係るキッチン用ウェットティッシュ１の使用に際しては、従前のウェットティッシュと同様、１枚ずつ取り出して、洗浄に供する。
【実施例２】
【００２１】
図４に別の実施形態が示してある。
【００２２】
本例は、実施例１の収納容器１５の形状を、円筒型とし、上部収納容器１５ａを蓋としたものであり、その他の構成要素は実施例１と同様である。
【００２３】
本例の使用方法は前記実施例１と同様であるため、説明は省略する。
【実施例３】
【００２４】
図５に別の実施形態が示してある。
【００２５】
本例は、実施例１の収納容器１５の形状を、角柱型とし、収納容器１５側部に把手１９を形成し、上部収納容器１５ａを蓋としたものであり、その他の構成要素は実施例１と同様であり、加えて使用方法も前記実施例１と同様であるため、説明は省略する。
【実施例４】
【００２６】
図６にさらに別の実施形態が示してある。
【００２７】
本例は、実施例１の収納容器１５の形状を、すり鉢型とし、上部収納容器１５ａを蓋としたものであり、その他の構成要素は実施例１と同様であり、加えて使用方法も前記実施例１と同様であるため、説明は省略する。
【実施例５】
【００２８】
図７にさらに別の実施形態が示してある。
【００２９】
本例は、上部取出口１３に取り付けるカバー２１であり、図７（イ）は半円型のもの、（ロ）は逆山型のものを示してあり、その他の構成要素は実施例１と同様であり、加えて使用方法も前記実施例１と同様であるため、説明は省略する。
【００３０】
なお、両例において、紙シート１７の原紙１７ａの大きさは、横約５０ｃｍ、縦約２１ｃｍであるが、必ずしもこの数値に限定されることはなく、その形状も矩形に限定されることはない。
【００３１】
また、洗浄剤は原紙１７ａの状態で浸透させるものであるが、紙シート１７に折り畳んだ状態とした後に浸透させることは自明である。
【００３２】
また、キッチンにて使用に供するため、紙シート１７の素材は、繊維素材を多く含むものであるが、繊維素材を含まなくても、使用可能である。
【００３３】
以上本考案の実施例について説明したが、本考案はこのような実施例に何等限定されるものでなく、本考案の要旨を逸脱しない範囲において種々なる態様で実施し得ることはもちろんである。
【産業上の利用可能性】
【００３４】
本考案に係るキッチン用ウェットティッシュ１は、キッチンにおける食器洗浄用として使用するために開発したものであるが、アウトドア用品、その他の用途にも適用できる。
【符号の説明】
【００３５】
１  キッチン用ウェットティッシュ
１３  上部取出口
１５  収納容器
１７  紙シート
【図１】
0003185234.tif 000003
【図２】
0003185234.tif 000004
【図３】
0003185234.tif 000005
【図４】
0003185234.tif 000006
【図５】
0003185234.tif 000007
【図６】
0003185234.tif 000008
【図７】
0003185234.tif 000009